(57)【特許請求の範囲】
【請求項１】
積層されたコンクリート側塊の接合部の耐震化を図る地震対応人孔保護工法であって、  引っ張り強度の強い合成樹脂で成形した可撓シートを基材として前記積層されたコンクリート側塊の内周に対応する筒状体を形成し、前記筒状体の胴部の概ね中央部位に、軸方向に展開可能な折り畳み部を周方向に形成し、前記筒状体における前記折り畳み部の両側の胴部分の外周面にコンクリート側塊接着面を設けた目地継ぎ筒状シートと、少なくとも前記コンクリート側塊の破壊よりも弱い力で破断する合成樹脂で成形した可撓シートを基材として、前記積層されたコンクリート側塊の内周に対応し且つ前記目地継ぎ筒状シートにおける折り畳み部の両側の胴部分の外周面に設けたコンクリート側塊接着面の間に収まる幅の筒状体を形成し、前記筒状体における胴部外周面をコンクリート側塊接着面とした目地継ぎ筒状シールとを用意し、
前記目地継ぎ筒状シールを、前記積層されたコンクリート側塊の内側に接合部を跨ぐように配置し接着して固定し、次ぎに、前記目地継ぎ筒状シートを、前記積層されたコンクリート側塊の内側に前記目地継ぎ筒状シールを覆うように配置し、前記折り畳み部の両側の胴部分の外周面に設けた何れか一側のコンクリート側塊接着面を上側のコンクリート側塊の内側に、他側のコンクリート側塊接着面を下側のコンクリート側塊の内側に接着して固定することを特徴とする地震対応人孔保護工法。
【請求項２】
前記目地継ぎ筒状シート及び前記目地継ぎシールにおける前記コンクリート側塊接着面には合成繊維シートが溶着されていることを特徴とする請求項１に記載の地震対応人孔保護工法。
【請求項３】
前記積層されたコンクリート側塊の上側のコンクリート側塊の内壁面の全部又は一部が錐体状の傾斜面となっているとき、前記目地継ぎ筒状シートの前記筒状体における前記折り畳み部の一側の胴部分の外壁面を前記上側のコンクリート側塊の錐体状の傾斜面に対応する錐体状の傾斜面に形成するとともに、前記目地継ぎ筒状シールの前記筒状体における胴部を軸方向に概ね２分し、一側の胴部分の外壁面を前記上側のコンクリート側塊の錐体状の傾斜面に対応する錐体状の傾斜面に形成することを特徴とする請求項１または２に記載の地震対応人孔保護工法。
【請求項４】
前記積層されたコンクリート側塊の上側のコンクリート側塊の錐体状の傾斜面に対応する錐体状の傾斜面に形成された前記目地継ぎ筒状シートの前記筒状体における前記一側の胴部分の外壁面は、前記一側の胴部分を円周方向に沿って適宜間隔で且つ適宜角度の三角形に折り畳み前記一側の胴部分の開口部を縮径して形成され、また、前記積層されたコンクリート側塊の上側のコンクリート側塊の錐体状の傾斜面に対応する錐体状の傾斜面に形成された前記目地継ぎ筒状シールの前記筒状体における前記一側の胴部分の外壁面は、前記一側の胴部分を円周方向に沿って適宜間隔で且つ適宜角度の三角形に折り畳み前記一側の胴部分の開口部を縮径して形成されることを特徴とする請求項３に記載の地震対応人孔保護工法。
【発明の詳細な説明】
【技術分野】
【０００１】
本発明は、積層されたコンクリート側塊の接合部の耐震化を図る地震対応人孔保護工法に関する。
【背景技術】
【０００２】
過去に発生した大きな地震において、下水道施設は甚大な被害を被り、市民生活に与えた影響は深刻なものであった。そのなかで、コンクリート側塊を積層して構築された下水道用の人孔にあっては、コンクリート側塊の接合部がずれるといった被害が多くみられ、接合部のずれから土砂や水が人孔内に流入し、下水道の機能が損なわれるといった事態が発生した。
【０００３】
このため、地震により人孔のコンクリート側塊の接合部がずれたとき、接合部のずれから人孔内への土砂や水の流入を防ぐ手立てが求められており、そのための手段として、積層されたコンクリート側塊の接合部の内側に、内側の上下に内部シール材を設けたゴム製保護カラーを当接して、圧接治具によりゴム製保護カラーをコンクリート側塊に圧接させる地震対応人孔保護工法が提案されている（例えば、特許文献１参照。）。
ゴム製保護カラーは、胴部の略中央部に内方に突出して形成した伸縮調整部を設け、地震により人孔のコンクリート側塊の接合部がずれたとき、伸縮調整部が伸びてゴム製保護カラーで接合部を塞いだ状態を保持し、接合部のずれから人孔内への土砂や水の流入を防ぐことができるものとなっている。
【先行技術文献】
【特許文献】
【０００４】
【特許文献１】特開２０００−２９１０３４号公報
【発明の概要】
【発明が解決しようとする課題】
【０００５】
しかしながら、この特許文献１参照に記載された地震対応人孔保護工法によれば、接合部のずれから人孔内へ流入する土砂や水の流入圧がゴム製保護カラーの伸縮調整部の伸び限界を超えると、ゴム製保護カラーが破断してしまうことになる。このため、土砂や水の流入圧を大きく予想した場合、この流入圧に耐えるために、いきおいゴム製保護カラーを厚く設定しなければならず、ゴム製保護カラーを厚くすると、その分、ゴム製保護カラーをコンクリート側塊に圧接させる作業が困難となり、また、コストアップにもなるといった問題があった。
【０００６】
本発明の目的は、地震により人孔のコンクリート側塊の接合部がずれがあったとき、接合部のずれから人孔内への土砂や水の流入を有効に防いで人孔を保護することができる地震対応人孔保護工法を提供することにある。
【課題を解決するための手段】
【０００７】
上記の目的を達成するために、請求項１に記載の発明は、積層されたコンクリート側塊の接合部の耐震化を図る地震対応人孔保護工法であって、引っ張り強度の強い合成樹脂で成形した可撓シートを基材として前記積層されたコンクリート側塊の内周に対応する筒状体を形成し、前記筒状体の胴部の概ね中央部位に、軸方向に展開可能な折り畳み部を周方向に形成し、前記筒状体における前記折り畳み部の両側の胴部分の外周面にコンクリート側塊接着面を設けた目地継ぎ筒状シートと、少なくとも前記コンクリート側塊の破壊よりも弱い力で破断する合成樹脂で成形した可撓シートを基材として、前記積層されたコンクリート側塊の内周に対応し且つ前記目地継ぎ筒状シートにおける折り畳み部の両側の胴部分の外周面に設けたコンクリート側塊接着面の間に収まる幅の筒状体を形成し、前記筒状体における胴部外周面をコンクリート側塊接着面とした目地継ぎ筒状シールとを用意し、前記目地継ぎ筒状シールを、前記積層されたコンクリート側塊の内側に接合部を跨ぐように配置し接着して固定し、次ぎに、前記目地継ぎ筒状シートを、前記積層されたコンクリート側塊の内側に前記目地継ぎ筒状シールを覆うように配置し、前記折り畳み部の両側の胴部分の外周面に設けた何れか一側のコンクリート側塊接着面を上側のコンクリート側塊の内側に、他側のコンクリート側塊接着面を下側のコンクリート側塊の内側に接着して固定することを特徴とする。
【０００８】
請求項２に記載の発明は、請求項１に記載の、前記目地継ぎ筒状シート及び前記目地継ぎシールにおける前記コンクリート側塊接着面には合成繊維シートが溶着されていることを特徴とする。
【０００９】
請求項３に記載の発明は、請求項１または２に記載の、前記積層されたコンクリート側塊の上側のコンクリート側塊の内壁面の全部又は一部が錐体状の傾斜面となっているとき、前記目地継ぎ筒状シートの前記筒状体における前記折り畳み部の一側の胴部分の外壁面を前記上側のコンクリート側塊の錐体状の傾斜面に対応する錐体状の傾斜面に形成するとともに、前記目地継ぎ筒状シールの前記筒状体における胴部を軸方向に概ね２分し、一側の胴部分の外壁面を前記上側のコンクリート側塊の錐体状の傾斜面に対応する錐体状の傾斜面に形成することを特徴とする。
【００１０】
請求項４に記載の発明は、請求項３に記載の、前記積層されたコンクリート側塊の上側のコンクリート側塊の錐体状の傾斜面に対応する錐体状の傾斜面に形成された前記目地継ぎ筒状シートの前記筒状体における前記一側の胴部分の外壁面は、前記一側の胴部分を円周方向に沿って適宜間隔で且つ適宜角度の三角形に折り畳み前記一側の胴部分の開口部を縮径して形成され、また、前記積層されたコンクリート側塊の上側のコンクリート側塊の錐体状の傾斜面に対応する錐体状の傾斜面に形成された前記目地継ぎ筒状シールの前記筒状体における前記一側の胴部分の外壁面は、前記一側の胴部分を円周方向に沿って適宜間隔で且つ適宜角度の三角形に折り畳み前記一側の胴部分の開口部を縮径して形成されることを特徴とする。
【発明の効果】
【００１１】
請求項１に記載の地震対応人孔保護工法によれば、引っ張り強度の強い合成樹脂で成形した可撓シートを基材として前記積層されたコンクリート側塊の内周に対応する筒状体を形成し、前記筒状体の胴部の概ね中央部位に、軸方向に展開可能な折り畳み部を周方向に形成し、前記筒状体における前記折り畳み部の両側の胴部分の外周面にコンクリート側塊接着面を設けた目地継ぎ筒状シートと、少なくとも前記コンクリート側塊の破壊よりも弱い力で破断する合成樹脂で成形した可撓シートを基材として、前記積層されたコンクリート側塊の内周に対応し且つ前記目地継ぎ筒状シートにおける折り畳み部の両側の胴部分の外周面に設けたコンクリート側塊接着面の間に収まる幅の筒状体を形成し、前記筒状体における胴部外周面をコンクリート側塊接着面とした目地継ぎ筒状シールとを用意し、前記目地継ぎシールを、前記積層されたコンクリート側塊の内側に接合部を跨ぐように配置し接着して固定し、次ぎに、前記目地継ぎ筒状シートを、前記積層されたコンクリート側塊の内側に前記目地継ぎ筒状シールを覆うように配置し、前記折り畳み部の両側の胴部分の外周面に設けた何れか一側のコンクリート側塊接着面を上側のコンクリート側塊の内側に、他側のコンクリート側塊接着面を下側のコンクリート側塊の内側に接着して固定するので、地震により人孔のコンクリート側塊の接合部がずれたとき、そのずれ幅が小さい場合は、前記目地継ぎシールがコンクリート側塊の接合部のずれに追随して変形し、人孔のコンクリート側塊の接合部のずれから人孔内への土砂や水の流入を防ぐことができる。
そして、コンクリート側塊の接合部のずれが、前記目地継ぎシールで固定されたコンクリート側塊の破壊強度を超えるほど大きい場合、コンクリート側塊の破壊の前に前記目地継ぎシールが破断して、コンクリート側塊のずれを妨げないので、コンクリート側塊の破壊を防止することができ、そして、コンクリート側塊の接合部のずれに追随して前記目地継ぎ筒状シートの胴部の概ね中央部位に形成されている折り畳み部が変形し、人孔のコンクリート側塊の接合部のずれから人孔内への土砂や水の流入を防ぐことができる。
また、前記目地継ぎ筒状シートと目地継ぎ筒状シールは、いずれも可撓シートを基材としているので、従来のゴム製に比べ薄く形成することができるから、人孔内部空間の狭窄が防げ、また軽量化が図れ、取り扱いが容易となり、コンクリート側塊への固定作業が容易に行え、またコストの低減化を図ることができる。
【００１２】
請求項２に記載の地震対応人孔保護工法によれば、請求項１に記載の、前記目地継ぎ筒状シート及び前記目地継ぎシールにおける前記コンクリート側塊接着面には合成繊維シートが溶着されているので、接着剤により前記目地継ぎ筒状シート及び前記目地継ぎシールにおける前記コンクリート側塊接着面をコンクリート側塊に接着したとき、合成繊維シートの繊維がアンカーとなって、前記目地継ぎ筒状シート及び前記目地継ぎシールにおける前記コンクリート側塊接着面をコンクリート側塊に強固に固定することができる。
【００１３】
請求項３に記載の地震対応人孔保護工法によれば、請求項１または２に記載の、前記積層されたコンクリート側塊の上側のコンクリート側塊の内壁面の全部又は一部が錐体状の傾斜面となっているとき、前記目地継ぎ筒状シートの前記筒状体における前記折り畳み部の一側の胴部分の外壁面を前記上側のコンクリート側塊の錐体状の傾斜面に対応する錐体状の傾斜面に形成するとともに、前記目地継ぎ筒状シールの前記筒状体における胴部を軸方向に概ね２分し、一側の胴部分の外壁面を前記上側のコンクリート側塊の錐体状の傾斜面に対応する錐体状の傾斜面に形成するので、上側のコンクリート側塊の内壁面の全部又は一部が錐体状の傾斜面となっている前記積層されたコンクリート側塊の内側に接合部を跨ぐように前記目地継ぎ筒状シール及び前記目地継ぎ筒状シートを確実に接着し固定することができる。
【００１４】
請求項４に記載の地震対応人孔保護工法によれば、請求項３に記載の、前記積層されたコンクリート側塊の上側のコンクリート側塊の錐体状の傾斜面に対応する錐体状の傾斜面に形成された前記目地継ぎ筒状シートの前記筒状体における前記一側の胴部分の外壁面は、前記一側の胴部分を円周方向に沿って適宜間隔で且つ適宜角度の三角形に折り畳み前記一側の胴部分の開口部を縮径して形成され、また、前記積層されたコンクリート側塊の上側のコンクリート側塊の錐体状の傾斜面に対応する錐体状の傾斜面に形成された前記目地継ぎ筒状シールの前記筒状体における前記一側の胴部分は、の外壁面は、前記一側の胴部分を円周方向に沿って適宜間隔で且つ適宜角度の三角形に折り畳み前記一側の胴部分の開口部を縮径して形成されるので、前記目地継ぎ筒状シートの前記筒状体における前記一側の胴部分の外壁面及び前記目地継ぎ筒状シールの前記筒状体における前記一側の胴部分の外壁面を、前記上側のコンクリート側塊の錐体状の傾斜面に対応する錐体状の傾斜面に容易に形成することができる。
【図面の簡単な説明】
【００１５】
【図１】本発明に係る地震対応人孔保護工法の実施の形態の第１例を実施した人孔のコンクリート側塊の接合部位を示す縦断面図である。
【図２】本発明に係る地震対応人孔保護工法の実施の形態の第１例で使用される目地継ぎ筒状シートを示す一部切り欠き中間省略正面図である。
【図３】目地継ぎ筒状シートに形成された折り畳み部の折り畳み形状の他例を示す一部切り欠き中間省略正面図である。
【図４】本発明に係る地震対応人孔保護工法の実施の形態の第１例で使用される目地継ぎ筒状シールの一例を示す一部切り欠き中間省略正面図である。
【図５】本発明に係る地震対応人孔保護工法の実施の形態の第２例を実施した人孔のコンクリート側塊の接合部位を示す縦断面図である。
【図６】本発明に係る地震対応人孔保護工法の実施の形態の第２例で使用される目地継ぎ筒状シートを示す一部切り欠き中間省略正面図である。
【図７】図６に示す目地継ぎ筒状シートにおける折り畳み部の一側の胴部分の外壁面を錐体状の傾斜面に形成した構造を示す説明図である。
【図８】第２例で使用される目地継ぎ筒状シートに形成された折り畳み部の折り畳み形状の他例を示す一部切り欠き中間省略正面図である。
【図９】本発明に係る地震対応人孔保護工法の実施の形態の第２例で使用される目地継ぎ筒状シールの一例を示す一部切り欠き中間省略正面図である。
【図１０】本発明に係る地震対応人孔保護工法の実施の形態の第３例で使用される目地継ぎ筒状シートを示す一部切り欠き中間省略正面図である。
【図１１】本発明に係る地震対応人孔保護工法の実施の形態の第３例で使用される目地継ぎ筒状シールの一例を示す一部切り欠き中間省略正面図である。
【発明を実施するための形態】
【００１６】
以下、本発明に係る地震対応人孔保護工法を実施するための形態を詳細に説明する。
図１乃至図４は本発明に係る地震対応人孔保護工法の実施の形態の第１例を示すもので、図１は本例を実施した人孔のコンクリート側塊の接合部位を示す縦断面図、図２は本例で使用される目地継ぎ筒状シートを示す一部切り欠き中間省略正面図、図３は目地継ぎ筒状シートに形成された折り畳み部の折り畳み形状の他例を示す一部切り欠き中間省略正面図、図４は本例で使用される目地継ぎ筒状シールの一例を示す一部切り欠き中間省略正面図である。
【００１７】
本例の地震対応人孔保護工法は、上下のコンクリート側塊１，２の内壁面３，４が鉛直面となって積層されたコンクリート側塊１，２に対応した地震対応人孔保護工法である。  先ず、引っ張り強度の強い合成樹脂で成形した可撓シートを基材として積層されたコンクリート１，２側塊の内周に対応する筒状体５を形成し、筒状体５の胴部の概ね中央部位に、軸方向に展開可能な折り畳み部６を周方向に形成し、筒状体５における折り畳み部６の両側の胴部分５ａ，５ｂの外周面にコンクリート側塊接着面７を設けた目地継ぎ筒状シート８と、少なくともコンクリート側塊１，２の破壊よりも弱い力で破断する合成樹脂で成形した可撓シートを基材として、積層されたコンクリート側塊１，２の内周に対応し且つ目地継ぎ筒状シート８における折り畳み部６の両側の胴部分５ａ，５ｂの外周面に設けたコンクリート側塊接着面７の間隔Ｌ１に収まる幅Ｌ２（Ｌ１＞Ｌ２）の筒状体９を形成し、筒状体９における胴部外周面をコンクリート側塊接着面１０とした目地継ぎ筒状シール１１とを用意する。
【００１８】
さらに詳細には、前記目地継ぎ筒状シート８にあっては、筒状体５の基材となる可撓シートを成形する合成樹脂として、本例ではポリプロピレン、ポリエチレン、ポリ塩化ビニル等が使用される。この基材は平坦な表面を有し、その厚さは、人孔のコンクリート側塊１，２の接合部Ａがずれたとき、このずれにより人孔内に流入する土砂や水の予想流入圧に対応できる厚さに設定されている。
【００１９】
また、筒状体５の胴部の中央に形成された折り畳み部６は、本例では、図２に示すように胴部の内側に向かって胴部の中央部が下縁部側に折り返された後、上縁側に折り返されて形成されている。
この折り畳み部６の折り返し量は、折り畳まれた状態にある折り畳み部６が展開したとき、人孔のコンクリート側塊１，２の接合部Ａのずれに追随できる量として設定されている。
従って、折り畳み部６の折り畳み形状は、人孔のコンクリート側塊１，２の接合部Ａのずれに追随できる量が確保できる限り、前記の形状に限られるものではなく、例えば、図３に示すように折り畳み部６が胴部の内側に向かって胴部の中央部が上下縁部側に折り返された後、さらに中央側に折り返されたものでもよい。
【００２０】
また、本例では、折り畳み部６の両側にある胴部分５ａ、５ｂの外周面に設けられたコンクリート側塊接着面７に合成繊維シート１２が溶着されている。この合成繊維シート１２は、本例ではポリプロピレン、ポリエチレン、ポリスチレン、ポリ塩化ビニル等の繊維が使用され、また、合成繊維シート１２は、織布、不織布の何れであってもよい。
なお、本例では、合成繊維シート１２は、折り畳み部６の両側の胴部分５ａ、５ｂの外周面に設けられたコンクリート側塊接着面７に溶着されているが、筒状体５の胴部外周全面に溶着されていてもよい（図示せず。）。
【００２１】
このように構成される目地継ぎ筒状シート８は次ぎのようにして製造される。
先ず、筒状体５の胴部幅となる所定幅の帯状の基材を、コンクリート側塊１，２の内周に対応する長さに切断し、筒状体５の外周面となる面で、基材の中央に形成する折り畳み部６の両側の胴部分５ａ，５ｂに設けられたコンクリート側塊接着面７となる面に、長さ方向一端部に溶着部位を残して合成繊維シート１２を溶着する。
【００２２】
次に、合成繊維シート１２を溶着した基材の中央に、筒状体５の外周面となる基材の面側に向かって基材の中央部を下縁部側に折り返した後、上側に折り返して折り畳み、加熱プレスして折り畳み部６を形成する。
このようにして、折り畳み部６を形成した基材を、合成繊維シート１２を溶着した面側が外面となるように、その一端部の溶着部位に他端部を重ねて溶着することにより円筒状体とし、目地継ぎ筒状シート８を形成する。
【００２３】
また、前記目地継ぎ筒状シール１１にあっては、筒状体９の基材となる可撓シートを成形する合成樹脂として、本例ではポリプロピレン、ポリエチレン、ポリ塩化ビニル等が使用される。この基材は平坦な表面を有し、その厚さはコンクリート側塊１，２の破壊よりも弱い力で破断する厚さに設定されている。
【００２４】
また、本例では、筒状体９における胴部外周面であるコンクリート側塊接着面１０に合成繊維シート１３が溶着されている。この合成繊維シート１３は、本例ではポリプロピレン、ポリエチレン、ポリスチレン、ポリ塩化ビニル等の繊維が使用され、また、合成繊維シート１３は、織布、不織布の何れであってもよい。
【００２５】
このように構成される目地継ぎ筒状シール１１は次ぎのようにして製造される。
先ず、筒状体９の胴部幅となる所定幅の帯状の基材を、コンクリート側塊１，２の内周に対応する長さに切断し、筒状体９の胴部外周面であるコンクリート側塊接着面１０に、長さ方向一端部に溶着部位を残して合成繊維シート１３を溶着する。
【００２６】
次に、合成繊維シート１３を溶着した基材を、合成繊維シート１３を溶着した面側が外面となるように、その一端部の溶着部位に他端部を重ねて溶着することにより円筒状体とし、目地継ぎ筒状シール１１を形成する。
【００２７】
本例の地震対応人孔保護工法は、上記のように構成した目地継ぎ筒状シート８と目地継ぎ筒状シール１１を用意し、先ず、目地継ぎシール１１を、積層されたコンクリート側塊１，２の内側に接合部Ａを跨ぐように配置し、合成繊維シート１３が溶着されているコンクリート側塊接着面１０をコンクリート側塊１，２の内側に接着剤で接着し固定する。
このとき、コンクリート側塊接着面１０には合成繊維シート１３が溶着されているので、接着剤によりコンクリート側塊接着面１０をコンクリート側塊１，２に接着したとき、合成繊維シート１３の繊維がアンカーとなってコンクリート側塊接着面１０をコンクリート側塊１，２に強固に固定することができる。
【００２８】
次ぎに、前記目地継ぎ筒状シート８を、折り畳み部６が折り畳まれた状態でコンクリート側塊１，２の内側に、目地継ぎ筒状シール１１を覆うように配置する。
【００２９】
そして、一側の胴部分５ａの外周面に設けられた合成繊維シート１２が溶着されているコンクリート側塊接着面７を上側のコンクリート側塊１の内側に接着剤で接着し、他側の胴部分５ｂの外周面に設けられた合成繊維シート１２が溶着されているコンクリート側塊接着面７を下側のコンクリート側塊２の内側に接着剤で接着し固定する。
このとき、筒状体５における折り畳み部６の両側にある胴部分５ａ、５ｂの外周面に設けられたコンクリート側塊接着面７には合成繊維シート１２が溶着されているので、接着剤によりコンクリート側塊接着面７をコンクリート側塊１，２に接着したとき、合成繊維シート１２の繊維がアンカーとなって、コンクリート側塊接着面７をコンクリート側塊１，２に強固に固定することができる。
このようにして第１例の地震対応人孔保護工法の実施が完了する（図１参照。）。
【００３０】
上記第１例の地震対応人孔保護工法によれば、地震により人孔のコンクリート側塊１，２の接合部Ａがずれたとき、そのずれ幅が小さい場合は、目地継ぎシール１１がコンクリート側塊１，２の接合部Ａのずれに追随して変形し、人孔のコンクリート側塊１，２の接合部Ａのずれから人孔内への土砂や水の流入を防ぐ。
【００３１】
そして、コンクリート側塊１，２の接合部Ａのずれが、目地継ぎシール１１で固定されたコンクリート側塊１，２の破壊強度を超えるほど大きい場合、コンクリート側塊１，２の破壊の前に目地継ぎシール１１が破断するので、コンクリート側塊１，２のずれの妨げとならず、コンクリート側塊１，２の破壊を防止することができ、そして、コンクリート側塊１，２の接合部Ａのずれに追随して目地継ぎ筒状シート８の折り畳み部６が変形し、人孔のコンクリート側塊１，２の接合部Ａのずれから人孔内への土砂や水の流入を防ぐ。
【００３２】
また本例では、目地継ぎ筒状シート８及び目地継ぎ筒状シール１１におけるコンクリート側塊接着面７，１０には合成繊維シート１２，１３が溶着されているので、接着剤により目地継ぎ筒状シート８及び前記目地継ぎ筒状シール１１におけるコンクリート側塊接着面７，１０をコンクリート側塊１，２に接着したとき、合成繊維シート１２，１３の繊維がアンカーとなって、目地継ぎ筒状シート８及び目地継ぎ筒状シール１１におけるコンクリート側塊接着面７，１０をコンクリート側塊１，２に強固に固定することができる。
【００３３】
図５乃至図９は本発明に係る地震対応人孔保護工法の実施の形態の第２例を示すもので、図５は本例を実施した人孔のコンクリート側塊の接合部位を示す縦断面図、図６は本例で使用される目地継ぎ筒状シートを示す一部切り欠き中間省略正面図、図７は図６に示す目地継ぎ筒状シートにおける折り畳み部の一側の胴部分の外壁面を錐体状の傾斜面に形成した構造を示す説明図、図８は本例で使用される目地継ぎ筒状シートに形成された折り畳み部の折り畳み形状の他例を示す一部切り欠き中間省略正面図、図９は本例で使用される目地継ぎ筒状シールの一例を示す一部切り欠き中間省略正面図である。
本例の地震対応人孔保護工法は、前記第１例と基本構成において変わるところが無く、第１例と同一の構成については同一の符号を付し、その詳細は第１例の説明を援用する。
【００３４】
本例の地震対応人孔保護工法は、上側のコンクリート側塊１の内壁面３の全部が円錐の錐体状の傾斜面となっている積層されたコンクリート側塊１，２に対応した地震対応人孔保護工法である。
本例にあっても、第１例と同様、目地継ぎ筒状シート８と目地継ぎ筒状シール１１を用意する。
目地継ぎ筒状シート８と目地継ぎ筒状シール１１にあって、第１例との違いは、目地継ぎ筒状シート８の筒状体５における折り畳み部６の一側の胴部分５ａの外壁面１４を上側のコンクリート側塊１の錐体状の傾斜面に対応する錐体状の傾斜面に形成し、そして、目地継ぎ筒状シール１１の筒状体９における胴部を軸方向に概ね２分し、一側の胴部分９ａの外壁面１５を上側のコンクリート側塊１の錐体状の傾斜面に対応する錐体状の傾斜面に形成する点だけである。
【００３５】
このように構成される目地継ぎ筒状シート８と目地継ぎ筒状シール１１は次のようにして製造される。
目地継ぎ筒状シート８にあっては、第１例の目地継ぎ筒状シート８を使用し、筒状体５における折り畳み部６の一側の胴部分５ａ、本例では上側となる一側の胴部分５ａを、図６に示すように、円周方向に沿って適宜間隔で且つ適宜角度の略三角形に折り返して折り畳んで縮径用折り畳み部１６を設けて一側の胴部分５ａの開口部を縮径させ、一側の胴部分５ａの外壁面１４が上側のコンクリート側塊１の錐体状の傾斜面に対応する錐体状の傾斜面となるように形成する。
前記一側の胴部分５ａに設けた縮径用折り畳み部１６は、胴部分５ａを略三角形に折り返し加熱プレスして折り畳み、溶着して固定している。
【００３６】
目地継ぎ筒状シール１１にあっては、第１例の目地継ぎ筒状シール１１を使用し、図６に示す目地継ぎ筒状シート８と同様に、筒状体９における一側の胴部分９ａ、本例では上側となる一側の胴部分９ａを、円周方向に沿って適宜間隔で且つ適宜角度の略三角形に折り返して折り畳んで縮径用折り畳み部１７を設けて一側の胴部分９ａの開口部を縮径させ、一側の胴部分９ａの外壁面１５が上側のコンクリート側塊１の錐体状の傾斜面に対応する錐体状の傾斜面となるように形成する。
前記一側の胴部分９ａに設けた縮径用折り畳み部１７は、胴部分９ａを略三角形に折り返し加熱プレスして折り畳み、溶着して固定している。
【００３７】
本例の地震対応人孔保護工法は、上記のように構成した目地継ぎ筒状シート８と目地継ぎ筒状シール１１を用意し、先ず、目地継ぎ筒状シール１１を、外壁面１５が錐体状の傾斜面に形成されている一側の胴部分９ａを上向きとして、上側のコンクリート側塊１の内壁面３が錐体状の傾斜面となっているコンクリート側塊１，２の内側に、コンクリート側塊１，２の接合部Ａを跨ぐように配置する。
【００３８】
そして、一側の胴部分９ａの外周面からなる合成繊維シート１３が溶着されているコンクリート側塊接着面１０を上側のコンクリート側塊１の内側に接着剤で接着し、他側の胴部分９ｂの外周面からなる合成繊維シート１３が溶着されているコンクリート側塊接着面１０を下側のコンクリート側塊２の内側に接着剤で接着し固定する。
このとき、コンクリート側塊接着面１０には合成繊維シート１３が溶着されているので、接着剤によりコンクリート側塊接着面１０をコンクリート側塊１，２に接着したとき、合成繊維シート１３の繊維がアンカーとなって、コンクリート側塊接着面１０をコンクリート側塊１，２に強固に固定することができる。
【００３９】
次ぎに、前記目地継ぎ筒状シート８を、折り畳み部６が折り畳まれた状態で、且つ外壁面１４が錐体状の傾斜面に形成されている一側の胴部分５ａを上向きとして、前記コンクリート側塊１，２の内側に、目地継ぎシール筒状１１を覆うように配置する。
【００４０】
そして、一側の胴部分５ａの外周面に設けられた合成繊維シート１２が溶着されているコンクリート側塊接着面７を上側のコンクリート側塊１の内側に接着剤で接着し、他側の胴部分５ｂの外周面に設けられた合成繊維シート１２が溶着されているコンクリート側塊接着面７を下側のコンクリート側塊２の内側に接着剤で接着し固定する。
このとき、筒状体５における折り畳み部６の両側にある胴部分５ａ、５ｂの外周面に設けられたコンクリート側塊接着面７には合成繊維シート１２が溶着されているので、接着剤によりコンクリート側塊接着面７をコンクリート側塊１，２に接着したとき、合成繊維シート１２の繊維がアンカーとなって、コンクリート側塊接着面７をコンクリート側塊１，２に強固に固定することができる。
このようにして第２例の地震対応人孔保護工法の実施が完了する（図５参照。）。
【００４１】
上記第２例の地震対応人孔保護工法によれば、上側のコンクリート側塊１の内壁面２の全部が錐体状の傾斜面となっている積層されたコンクリート側塊１，２の内側に接合部Ａを跨ぐように目地継ぎ筒状シール８及び目地継ぎ筒状シート１１を確実に接着し固定することができる。
その他の作用効果は前記した第１例と同様なので、第１例の説明を援用する。
【００４２】
図１０は本発明に係る地震対応人孔保護工法の実施の形態の第３例で使用される目地継ぎ筒状シートを示す一部切り欠き中間省略正面図、図１１は本発明に係る地震対応人孔保護工法の実施の形態の第３例で使用される目地継ぎ筒状シールの一例を示す一部切り欠き中間省略正面図である。
第３例の地震対応人孔保護工法は、上側のコンクリート側塊１の内壁面３の一部が円錐の錐体状の傾斜面となっている積層されたコンクリート側塊１，２に対応した地震対応人孔保護工法である。
本例の地震対応人孔保護工法は、前記第２例と基本構成において変わるところが無く、第２例と同一の構成については同一の符号を付し、その詳細は第２例の説明を援用する。
【００４３】
本例にあっても、第２例と同様、目地継ぎ筒状シート８と目地継ぎ筒状シール１１を用意する。目地継ぎ筒状シート８と目地継ぎ筒状シール１１にあって、第２例との違いは、目地継ぎ筒状シート８の筒状体５における折り畳み部６の一側の胴部分５ａの外壁面１４の一部を、内壁面３の一部が円錐の錐体状の傾斜面と上側のコンクリート側塊１の傾斜面に対応する錐体状の傾斜面に形成し、そして、目地継ぎ筒状シール１１の筒状体９における胴部を軸方向に概ね２分し、一側の胴部分９ａの外壁面１５の一部を、内壁面３の一部が円錐の錐体状の傾斜面と上側のコンクリート側塊１の傾斜面に対応する錐体状の傾斜面に形成する点だけである。
このように構成される目地継ぎ筒状シート８と目地継ぎ筒状シール１１は第２例の目地継ぎ筒状シート８と目地継ぎ筒状シール１１と同様にして製造される。
【００４４】
本例の地震対応人孔保護工法は、上記のように構成した目地継ぎ筒状シート８と目地継ぎ筒状シール１１を用意し、第２例と同様にして目地継ぎ筒状シート８と目地継ぎ筒状シール１１を上側のコンクリート側塊１の内壁面３の一部が錐体状の傾斜面となっているコンクリート側塊１，２の内側に接着剤で接着し固定する。
本例の作用効果は前記した第２例と同様なので、第２例の説明を援用する。
【００４５】
なお、本発明に係る地震対応人孔保護工法は、第１例では、コンクリート側塊１，２の内壁面３，４の内周が円状となっているが、角状のコンクリート側塊１，２にも対応できる。また、第２例、第３例では、いずれも上側のコンクリート側塊１の内壁面３の全部または一部が円錐の錐体状の傾斜面となっているが、上側のコンクリート側塊１の内壁面３の全部一部が角錐の錐体状の傾斜面となっている積層されたコンクリート側塊にも対応できる。この場合の地震対応目地継ぎ手は、図示しないが、前記第１例、第２例、第３例に示す目地継ぎ筒状シート８と目地継ぎ筒状シール１１を角筒状に設計変更するだけで済む。
【００４６】
また、図示していないが、前記第１例、第２例、第３例にあって、目地継ぎ筒状シート８となる筒状体５に形成した折り畳み部６に、筒状体５を形成する基材となる可撓シートよりも破断強度の弱い放水用弱化部を設けておくこともできる。
放水用弱化部は筒状体５の折り畳み部６の一部に薄肉部を形成し、この薄肉部を放水用弱化部としてもよく、または折り畳み部６の一部を開口し、開口部に可撓シートよりも破断強度の弱い可撓シートを溶着して、該部を放水用弱化部としてもよい。
また、放水用弱化部にあっては、その破断強度は筒状体５を形成する基材となる可撓シートよりも僅かに弱い程度であることが好ましい。
このように、目地継ぎ筒状シート８となる筒状体５に形成した折り畳み部６に、筒状体５を形成する基材となる可撓シートよりも破断強度の弱い放水用弱化部を設けておくことにより、コンクリート側塊１，２の接合部Ａのずれから人孔内へ流入した水の水圧が折り畳み部６に、筒状体５を形成する基材となる可撓シートの破断強度を超えるような水圧となって掛かった場合、折り畳み部６に設けた放水用弱化部が破断して人孔内へ流入した水が折り畳み部６から放水され、水圧による折り畳み部６の破断を防止できる。
【００４７】
また、本発明に係る地震対応人孔保護工法は、人孔に限らず、地下に埋設した埋設管の接合部に配置することにより、地震対応埋設管保護工法としても適用できる。
【符号の説明】
【００４８】
１、２  コンクリート側塊
３、４  内壁面
５  筒状体
５ａ  一側（上側）の胴部分
５ｂ  他側（下側）の胴部分
６  折り畳み部
７  コンクリート側塊接着面
８  目地継ぎ筒状シート
９  筒状体
９ａ  一側（上側）の胴部分
９ｂ  他側（下側）の胴部分
１０  コンクリート側塊接着面
１１  目地継ぎ筒状シール
１２、１３  合成繊維シート
１４、１５  外壁面
１６、１７  縮径用折り畳み部
Ａ  接合部
Ｌ１  地継ぎ筒状シートにおける折り畳み部の両側の胴部分の外周面に設けたコンクリー      ト側塊接着面の間隔
Ｌ２  目地継ぎ筒状シールにおける筒状体の幅
【図１】
0005728403.tif 000002
【図２】
0005728403.tif 000003
【図３】
0005728403.tif 000004
【図４】
0005728403.tif 000005
【図５】
0005728403.tif 000006
【図６】
0005728403.tif 000007
【図７】
0005728403.tif 000008
【図８】
0005728403.tif 000009
【図９】
0005728403.tif 000010
【図１０】
0005728403.tif 000011
【図１１】
0005728403.tif 000012